(57)【要約】      （修正有）【課題】電子部品実装ラインの操作レベルを一時的に高いレベルに変更し、該レベルの操作を実行すると自動的に元の操作レベルに戻すようにする。【解決手段】電子部品実装システムにおいて、端末からの要求操作が、要求時点にログインされている第１操作レベルの範囲内であるか否かを判定する第１判定手段と、要求操作が第１操作レベルの範囲内でないと判定された場合に、端末から操作レベルより高い操作レベルのオペレータＩＤとキーワードの入力を促す入力促進手段と、入力されたオペレータＩＤとキーワードがログインされると、要求操作が、オペレータＩＤとキーワードに対して設定されている第２操作レベルの範囲内であるか否かを判定する第２判定手段と、要求操作が第２操作レベルの範囲内であると判定された場合に、要求操作を実行した後、ログイン状態を第１操作レベルに戻すレベル復帰手段とを有する、オペレータレベル管理装置を備えた。【選択図】図６
2007034837.tif 000002
【特許請求の範囲】
【請求項１】
ログインを条件に、各オペレータのオペレータＩＤとキーワードに対して予め設定されている操作レベルの範囲内で、端末から電子部品実装ラインに対して要求した操作を実行することが可能な電子部品実装システムにおいて、
前記端末からの要求操作が、要求時点にログインされている第１操作レベルの範囲内であるか否かを判定する第１判定手段と、
前記要求操作が第１操作レベルの範囲内でないと判定された場合に、前記端末から該操作レベルより高い操作レベルのオペレータＩＤとキーワードの入力を促す入力促進手段と、
入力されたオペレータＩＤとキーワードがログインされると、前記要求操作が、該オペレータＩＤとキーワードに対して設定されている第２操作レベルの範囲内であるか否かを判定する第２判定手段と、
前記要求操作が第２操作レベルの範囲内であると判定された場合に、該要求操作を実行した後、ログイン状態を前記第１操作レベルに戻すレベル復帰手段とを有する、オペレータレベル管理装置を備えたことを特徴とする電子部品実装システム。
【請求項２】
前記端末には、ログイン中の操作レベルに関係なく、任意の操作を要求可能な操作画面が表示されていることを特徴とする請求項１に記載の電子部品実装システム。
【発明の詳細な説明】
【技術分野】
【０００１】
本発明は、電子部品実装システム、特にオペレータ毎に予め操作レベルを設定しておき、該操作レベルに応じた権限で電子部品実装ラインに対する各種操作を実行することが可能な電子部品実装システムに関する。
【背景技術】
【０００２】
一般に、電子部品実装ラインにおいては、順次搬送される配線基板に、１又は２以上の実装機により電子部品を装着（実装）することにより、基板製品を連続的に生産することが行なわれている。
【０００３】
このような電子部品実装ラインでは、基板製品が完成するまでに各種操作が実行されるが、各操作には信頼性維持等のために予めレベルが設けられ、オペレータ毎に実行が許可される操作レベルが設定され、管理されている。
【０００４】
オペレータ毎に操作レベルを管理する従来の方法としては、例えば特許文献１に開示されているように、各オペレータの認証番号であるオペレータＩＤとパスワードに応じた操作レベルを予め設定しておき、オペレータＩＤとパスワードを入力することにより、オペレータ認証（以下、ログインともいう）に成功した場合に、該パスワードに設定登録されている操作レベルで許可されている操作のみを実行可能とするものが知られている。
【０００５】
現状の電子部品実装ラインにおいても同様の操作レベルの管理方法が採用されており、オペレータが操作端末を使って該ラインを操作している場合は、その画面上に現在ログイン中のオペレータに認められている操作レベルで実行可能な操作ボタンのみが、実行可能な状態に表示されている。
【０００６】
従って、この端末を使ってログイン中のオペレータが許可されていない操作を行ないたい場合は、操作レベルの高いオペレータにより改めてオペレータＩＤとパスワードを使ってログインし直し、高いレベルの操作ボタンが画面上に現われた後でその操作を実行する必要がある。又、その後、操作の信頼性を維持する等のために元のオペレータの操作レベルに戻したい場合は、そのオペレータが再度ログインする必要がある。
【０００７】
【特許文献１】特開平１−１８９７５２号公報
【発明の開示】
【発明が解決しようとする課題】
【０００８】
しかしながら、従来の電子部品実装ラインにおいては、通常の操作を行なっている担当オペレータが、自分に認められているレベルより高い操作を一時的に実行したい場合があるが、このような場合でも前記のように高い操作レベルのオペレータによりログインしてもらってレベルを上げた後、担当オペレータが再度ログインして元の操作レベルに戻すという作業を、その都度行なわなければならず、操作が煩雑であるという問題があった。
【０００９】
本発明は、前記従来の問題点を解決するべくなされたもので、オペレータが操作中の電子部品実装ラインに設定されている操作レベルを一時的に高いレベルに変更し、該高レベルの操作をオペレータが実行すると、自動的に元の操作レベルに戻すことができる電子部品実装システムを提供することを課題とする。
【課題を解決するための手段】
【００１０】
本発明は、ログインを条件に、各オペレータのオペレータＩＤとキーワードに対して予め設定されている操作レベルの範囲内で、端末から電子部品実装ラインに対して要求した操作を実行することが可能な電子部品実装システムにおいて、前記端末からの要求操作が、要求時点にログインされている第１操作レベルの範囲内であるか否かを判定する第１判定手段と、前記要求操作が第１操作レベルの範囲内でないと判定された場合に、前記端末から該操作レベルより高い操作レベルのオペレータＩＤとキーワードの入力を促す入力促進手段と、入力されたオペレータＩＤとキーワードがログインされると、前記要求操作が、該オペレータＩＤとキーワードに対して設定されている第２操作レベルの範囲内であるか否かを判定する第２判定手段と、前記要求操作が第２操作レベルの範囲内であると判定された場合に、該要求操作を実行した後、ログイン状態を前記第１操作レベルに戻すレベル復帰手段とを有する、オペレータレベル管理装置を備えたことにより、前記課題を解決したものである。
【発明の効果】
【００１１】
本発明によれば、担当オペレータが操作中に、操作レベルが高いオペレータにより、ログイン中の操作レベルを高レベルに変更してもらった場合、該当する操作が実行されると元の操作レベルに自動的に戻るようにしたので、担当オペレータが一時的に高レベルの操作を容易に実行することが可能となる。
【発明を実施するための最良の形態】
【００１２】
以下、図面を参照して、本発明の実施の形態について詳細に説明する。
【００１３】
図１は、本発明に係る一実施形態の電子部品実装システムの概要を示すブロック図である。
【００１４】
本実施形態の電子部品実装システムは、明示しない電子部品実装ラインに設置されている複数のマウンタ（電子部品実装機）１０と、各マウンタ１０において配線基板に装着される電子部品の誤装着を防止する誤装着防止システム１２とが、通信網であるＬＡＮ１４を介して接続されていると共に、該ＬＡＮ１４に連結されているアクセスポイント１６に、操作端末１８から無線通信により操作信号を送信することにより、各マウンタ１０や誤装着防止システム１２等を操作可能になっている。
【００１５】
この操作端末１８は、図２に概要を示すような、一般的なコンピュータと同様の構成からなり、キーボード等の入力装置２０と、入力データに基づいて各種演算を実行するＣＰＵ２２と、演算結果等を出力する画面等の出力装置２４と、演算結果等を保存するメモリ２６と、各種操作信号を前記アクセスポイント１６へ送信する通信装置２８とを備えている。
【００１６】
オペレータは、この端末１８により、生産開始前の準備としてマウンタ１０に部品を供給するテープフィーダ全体を変更する部品の段取り替え操作や、一部のテープフィーダを入れ換える部品交換操作等を行なう。
【００１７】
前記マウンタ１０は、一般に使用されているので詳細な説明は省略するが、該マウンタ１０ではテープフィーダにより供給される部品を、吸着ヘッドで吸着保持した後、所定位置に固定されている配線基板上に装着する。
【００１８】
前記誤装着防止システム１２は、前記マウンタ１０に電子部品を供給するテープフィーダが所定のスロット位置に正確に差し込んだ状態にあるか否か等を監視するシステムである。
【００１９】
この誤装着防止システム１２は、前記操作端末１８と同様にコンピュータで構成され、図３に概要を示すように、入力装置３０、ＣＰＵ３２、出力装置３４及びメモリ３６を備えていると共に、各種情報が格納されているデータベースファイル３８を備えている。
【００２０】
このデータベースファイル３８には、誤装着防止のためのテープフィーダとそれを差し込むスロット位置との関係を表わす照合用データや、図４の表にイメージを示すような、各オペレータに設定されているオペレータＩＤとキーワードと共に、これに対応する操作レベルに関する情報が記録されているオペレータＩＤ管理テーブル３８Ａ等が格納されている。
【００２１】
本実施形態においては、図５に概念的に示すような、オペレータレベル管理装置４０を前記誤装着防止システム１２が備えている。この管理装置４０は、前記端末１８から要求された任意の要求操作が、要求時点にログインされている第１操作レベルの範囲内であるか否かを判定する第１判定手段４２と、前記要求操作が第１操作レベルの範囲内ではないと判定された場合、前記端末１８から第１操作レベルより高い操作レベルのオペレータＩＤとキーワードの入力を促す入力促進手段４４と、前記要求操作が、新たに入力されたオペレータＩＤとキーワードがログインされると、該オペレータＩＤとキーワードに対して設定されている第２操作レベルの範囲内であるか否かを判定する第２判定手段４６と、前記要求操作が第２操作レベルの範囲内であると判定された場合に、該要求操作を実行した後、ログイン状態を前記第１操作レベルに戻すレベル復帰手段４８とを有している。
【００２２】
このオペレータレベル管理装置４０が有している以上の各手段４２〜４８は、前記誤装着防止システム１２において、ＲＯＭやＲＡＭとのメモリ３６から入力されるデータや、データベースファイル３８から入力されるデータ等に基づいて、前記ＣＰＵ３２により実行されるプログラム（ソフトウェア）により実現されている。
【００２３】
以下、本実施形態の作用を、図６のフローチャートに従って説明する。
【００２４】
本実施形態では、前述した如く、前記端末１８を操作する各オペレータに、従来と同様にオペレータＩＤと共にパスワードを持たせ、そのパスワードに操作レベルを設定して前記データベースファイル３８に保管しておく。但し、端末１８における画面（図示せず）の表示は、担当オペレータ毎に操作レベルに応じて変えることはせず、全ての操作ボタンが常に操作画面に表示され、ボタンを押し下げる動作（該当するボタンの操作の要求）は、任意のオペレータが実行可能である。そのために、本実施形態では、以下のような処理が実行されるようになっている。
【００２５】
まず、ある操作ボタンがオペレータにより押し下げられ、所定の操作が要求された場合（ステップ１）、その要求操作（以下、操作Ｍと呼ぶ）が、現時点でログインされているオペレータＩＤ（以下、Ｐ１とする）に設定されている第１操作レベルの範囲内で実行可能かどうかを、前記第１判定手段４２により調べる（ステップ２）。実行可能（Ｙ）であれば、直ちに操作Ｍを実行する（ステップ１２）が、第１操作レベルが低いために要求された操作Ｍが実行できない場合（Ｎ）は、まずＰ１をプログラムのメモリ領域に記憶し、これをＡとする（ステップ３）。
【００２６】
そして、前記入力促進手段４４により、端末１８の画面上にログインダイアログを表示し、第１操作レベルより上のオペレータによるログインのためにオペレータＩＤ及びパスワードの入力を促す（ステップ４）。
【００２７】
次のステップ５でキャンセルされることなくオペレータＩＤ及びパスワードが入力されると（ステップ６）、前記データベースファイル３８に対してオペレータ認証の問合せを行ない（ステップ７）、入力されたオペレータＩＤ（以下、Ｐ２とする）とパスワードでログインが成功した場合（ステップ８でＹ）、Ｐ２に設定されている第２操作レベルが操作Ｍを実行可能かどうかを前記第２判定手段４６により調べる（ステップ９）。
【００２８】
実行可能（ステップ９でＹ）であれば直ちに操作Ｍを実行し（ステップ１０）、その後、該操作Ｍの実行時に設定されていたオペレータＩＤ＝Ｐ２を、前記レベル復帰手段４８により自動的にログアウトし、前記ステップ３で記憶しておいた元のオペレータＩＤ＝Ａのログイン状態に戻す（ステップ１１）。このとき、ログインダイアログは表示させない。従って、パスワード等のオペレータ入力も促されることなく、あたかもＡでログインされていたかのように自動的にログイン状態の復帰が行なわれる。
【００２９】
次に、本実施形態の作用を、具体例を挙げて更に詳述する。
【００３０】
操作レベルの低いオペレータが、前記誤装着防止システム１２の操作中に、自分に操作権限の無い操作を一時的に行ないたい場合がある。例えば、生産中のマウンタ１０の制御装置（図示せず）が部品切れを検出した場合、その原因が、部品切れではなく、吸着ヘッドによるテープフィーダからの部品の吸着エラーであったとすると、実際には部品が該フィーダのリールに存在していることになる。
【００３１】
このように、実際には部品切れではない場合には、オペレータとしては、制御装置による判断に反して、新しい部品リールに交換することなく、現在のリールのままで生産を続行する操作を行ないたいことがある（以下、これを強行操作と呼ぶ）。
【００３２】
しかしながら、このような強行操作を、前記電子部品実装ラインを担当している通常のオペレータが行なうことは、設定されている操作レベルによって禁止されており、操作権限の高いオペレータにしか行なうことができないことになっている。このような場合に、本実施形態では、通常のオペレータが強行操作を要求する操作ボタンを押すと、前記ステップ４の場合と同様に、画面上にログインダイアログが現われ、ログインのための入力を促す。
【００３３】
そこで、担当オペレータが強行操作を実行できる操作レベルを持つ制御ライン管理者等の、自分より操作レベルの高いオペレータを呼ぶ。この高レベルオペレータは、通常の担当オペレータから操作内容を聞き取り、その操作が妥当であれば、前記ステップ６に示したように、ログインダイアログからオペレータＩＤとパスワードを入力する。ログインが成功したら、その後直ぐに高レベルオペレータはその場を立ち去ってもよい。
【００３４】
というのは、高レベルオペレータが行なったログインは、その後に行なわれる１回の強行操作のみに有効であり、その操作が実行されると前記ステップ１１の場合と同様に自動的に元のオペレータのログイン状態に戻ることが保証されているからである。
【００３５】
以上詳述した本実施形態によれば、オペレータの操作レベルを一時的に上げることを容易にしかも安全に行なうことができる上に、その後の操作に対する信頼性を損なうことも防止できる。
【００３６】
なお、前記実施形態に示した操作Ｍ（要求操作）が、１回の強行操作であるとして説明したが、これに限定されず、操作Ｍに複数の操作が含まれるようにしてもよく、又、前記フローチャートのステップ１０の次に、操作Ｍの実行を判定するステップを入れ、操作Ｍの実行完了を確認した後に、前記ステップ１１が実行されるようにしてもよい。
【００３７】
又、前記実施形態では、オペレータレベル管理装置４０が、誤装着防止システム１２に設置されている場合を示したが、別に設けてもよいことはいうまでもない。
【図面の簡単な説明】
【００３８】
【図１】本発明に係る一実施形態の電子部品実装システムの概要を示すブロック図
【図２】本実施形態に適用される操作端末の概要を示すブロック図
【図３】本実施形態に適用される誤装着防止システムの概要を示すブロック図
【図４】オペレータ管理テーブルに記録されている情報のイメージを示す図表
【図５】本実施形態の電子部品実装システムが備えているオペレータレベル管理装置の概要を示すブロック図
【図６】本実施形態の作用を示すフローチャート
【符号の説明】
【００３９】
１０…マウンタ（実装機）
１２…誤装着防止システム
１８…操作端末
３８…データベースファイル
４０…オペレータレベル管理装置
４２…第１判定手段
４４…入力促進手段
４６…第２判定手段
４８…レベル復帰手段
【図１】
2007034837.tif 000003
【図２】
2007034837.tif 000004
【図３】
2007034837.tif 000005
【図４】
2007034837.tif 000006
【図５】
2007034837.tif 000007
【図６】
2007034837.tif 000008